(57)【特許請求の範囲】
【請求項１】
高さ調整可能な支持脚と、前記支持脚の高さ調整作業をする際に用いる上方に開口した作業口とが設けられた床支持材を建築床上に設置し、
前記床支持材に取り付けられたドア枠仮受け材に、ドア枠を一時的に仮載置し、該仮載置されたドア枠を本載置されて最終取付状態となった場合と同一高さとするように前記支持脚の高さ調整をした後、
前記ドア枠が本載置されるドア枠本載置部と洗い場床部とが一体形成され、作業口を有しない洗い場防水床パンを前記床支持材の上に設置し、
前記ドア枠本載置部に前記ドア枠を最終状態にて本載置することを特徴とするユニットバスの組立方法。
【請求項２】
前記ドア枠仮受け材として、前記ドア枠を水平状に仮載置可能なものを用いることを特徴とする請求項１記載のユニットバスの組立方法。
【請求項３】
前記ドア枠仮受け材を、前記床支持材の水平出しを行う際の位置基準部の近傍に取り付けることを特徴とする請求項２記載のユニットバスの組立方法。
【請求項４】
前記位置基準部に対して前記洗い場防水床パンのドア枠本載置部の裏側が密接するように沿わせることで、当該ドア枠本載置部を所定高さで水平化することを特徴とする請求項３記載のユニットバスの組立方法。
【請求項５】
前記ドア枠仮受け材として、前記ドア枠を水平方向の所定位置に位置決めする位置決め部を備えるものを用いることを特徴とする請求項２記載のユニットバスの組立方法。
【請求項６】
前記ドア枠仮受け材を、隣室床の側端部に当接させることで、前記床支持材の水平方向位置を規定することを特徴とする請求項２記載のユニットバスの組立方法。
【請求項７】
前記ドア枠仮受け材を、前記洗い場防水床パンと干渉しない位置に配置することを特徴とする請求項２記載のユニットバスの組立方法。
【請求項８】
前記ドア枠仮受け材の一部を前記洗い場防水床パンと隣室床との間に配置し、前記ドア枠の補強材としても機能させることを特徴とする請求項７記載のユニットバスの組立方法。
【請求項９】
高さ調整可能な支持脚と、前記支持脚の高さ調整作業をする際に用いる上方に開口した作業口とが設けられており、建築床上に設置される床支持材と、
該床支持材に取り付けられており、当該ユニットバスのドア枠を一時的に仮載置することができるドア枠仮受け材と、
前記ドア枠を最終状態にて本載置することができるドア枠本載置部と洗い場床部とが一体形成され、作業口を有しない洗い場防水床パンと、
を備え、
前記ドア枠が、前記ドア枠仮受け材に仮載置した場合と、前記ドア枠本載置部に本載置した場合とで同一高さに配置されることを特徴とするユニットバス。
【発明の詳細な説明】
【技術分野】
【０００１】
本発明は、ユニットバスおよびその組立方法に関する。
【背景技術】
【０００２】
ユニットバスの洗い場床を建築床上に水平に設置するため、例えば四隅に高さ調整可能な支持脚を備えたものが利用されている。また、洗い場床を設置する際に支持脚の高さ調整作業を簡便に行えるようにするため、上方に開口する作業口（洗い場点検口）を備えた洗い場床も利用されている。作業口がない場合、床と建築床の間の側方から支持脚の高さ調整や配管接続をする必要があるため作業性に劣るが、作業口を利用すればこれらの作業を床の上方から楽な姿勢で行うことができる（例えば特許文献１〜４参照）。
【０００３】
その一方で、洗い場防水床パンに作業口を設けると、当該洗い場防水床パンの他に作業口を水密に塞ぐ蓋が必要となり、構造が複雑化しやすい。また、作業口付き防水パンおよび洗い場蓋の２つの部材を共に防水性材料（型成形品）で成形する必要があり、コストがかさみやすい。したがって、コスト面を考慮すれば、洗い場防水床パンに作業口を設けず、尚かつ上方から楽な姿勢で高さ調整や配管接続を行えるようにしたバスユニット構造は望ましい。このような構造の一つとしては、床支持材に設けられた支持脚の高さを調整した後に洗い場防水床パンを設置する組立構造が考えられる。
【先行技術文献】
【特許文献】
【０００４】
【特許文献１】特開２０１０−１２１３８１号公報
【特許文献２】特開２００６−２３３４３９号公報
【特許文献３】特開２００８−２５１２２号公報
【特許文献４】特開２００２−８８８４７号公報
【発明の概要】
【発明が解決しようとする課題】
【０００５】
しかしながら、上述のごとき構造を実現しようとすると、以下に説明するように別の大きな課題に直面する。
【０００６】
すなわち、ドア枠（ユニットバスの浴室ドアの枠）が載置されるドア枠本載置部（さらには、壁パネルが載置される壁パネル載置部）は、洗い場防水床パンに一体形成しておくことが、コストおよび防水性の観点から好ましい。ところが、上述のように、支持脚の高さを調整した後に洗い場防水床パンを設置することとすれば、支持脚の高さ調整時にはドア枠本載置部が存在しない状態となるため、実際にドア枠を置いて支持脚の高さ調整を行うことができない。この場合の高さ調整手法としては、例えば、床支持材と脱衣室床の上面との高さ方向の差分をメジャーで測定して調整するというものがある。しかし、調整後、洗い場防水床パンのドア枠本載置部にドア枠を最終的に載置した段階で、測定誤差等によりドア枠が垂直に建てられない事態が生じれば、再度、洗い場防水床パンを取り外して支持脚の高さ調整をやり直さなければならず、煩雑である。
【０００７】
本発明は、ユニットバス組立の際、支持脚の高さ調整を行った後、ドア枠本載置部が一体形成された洗い場防水床パンを設置するという工程を採用する場合に、支持脚の高さ調整を精度よく行うことを可能としたユニットバスおよびその組立方法を提供することを目的とする。
【課題を解決するための手段】
【０００８】
本発明者は、先行技術にはなかった上述の新規な課題に着目して種々の検討を行った。上述した特許文献１〜４のいずれも、作業口から高さ調整する際には、ドア枠が本載置（載置されて最終取付状態となること）されるドア枠本載置部が存在しているため、特別な工夫をせずとも、ドア枠本載置部にドア枠を載置した状態として支持脚の高さ調整を精度よく行うことができる。要は、従来は、高さ調整する際の基準となるドア枠を実際に載置した状態で高さ調整を行うことができたのに対し、本願では、コストや構造の改善を図ったため、高さ調整時、ドア枠を実際に載置することができなくなっている。この点にも着目してさらに検討を重ねた本発明者は、課題の解決に結び付く知見を得るに至った。
【０００９】
本発明にかかるユニットバスの組立方法はこのような知見に基づくものであり、高さ調整可能な支持脚と、支持脚の高さ調整作業をする際に用いる上方に開口した作業口とが設けられた床支持材を建築床上に設置し、床支持材に取り付けられたドア枠仮受け材に、ドア枠を一時的に仮載置し、該仮載置されたドア枠を本載置されて最終取付状態となった場合と同一高さとするように支持脚の高さ調整をした後、ドア枠が本載置されるドア枠本載置部と洗い場床部とが一体形成され、作業口を有しない洗い場防水床パンを床支持材の上に設置し、ドア枠本載置部にドア枠を最終状態にて本載置することを特徴とする。
【００１０】
この組立方法においては、床支持材の作業口を利用して支持脚を操作することが可能であるから、当該床支持材の上方から楽な姿勢で高さ調整作業を行うことができる。しかも、ユニットバスにおいて実際に使用されるドア枠をドア枠仮受け材に仮載置した状態として支持脚の高さ調整をすればよいので簡便であり、測定に伴う読み取り間違いを起こすといったミスが生じるおそれがなく、精度よく高さ調整を行うことが可能となっている。
【００１１】
また、本発明によれば、ドア枠が載置されるドア枠本載置部と洗い場床部とが一体成形されており尚かつ作業口を有しない洗い場防水床パンを用いることができる。この場合、一体構造である当該洗い場防水床パンのみで洗い場床の防水性能を実現することができるため、床支持材にまで防水性能を求める必要がなくなる。したがって床支持材として安価な部材を採用することが可能となり、この結果、コストおよび防水性の観点からも好ましいユニットバスを実現することが可能となる。
【００１２】
加えて、本発明によれば、上述したようにドア枠仮受け材にドア枠を一時的に仮置き（仮載置）することができるので、ドア枠本載置部（ドア枠が本載置される）が一体形成された洗い場防水床パンを載置する前に、実際にドア枠を置いて床支持材を精度よく高さ調整することができる。このため、洗い場防水床パンを載置した後、再度、洗い場防水床パンを外して高さ調整し直すような面倒な作業が不要となり、作業性に優れる。
【００１３】
このような組立方法においては、ドア枠仮受け材として、ドア枠を水平状に仮載置可能なものを用いることが好ましい。通常、ドア枠は水平状に本載置されて最終取付状態となるので、仮載置時にこのような最終取付状態に極めて近い状態とする本発明によれば、支持脚の高さ調整をより精度よく行うことができる。
【００１４】
さらに、この組立方法においては、ドア枠仮受け材を、床支持材の水平出しを行う際の位置基準部の近傍に取り付けることが好ましい。こうした場合、床支持材の位置基準部にドア枠仮受け材が設けられた状態となるため、床支持材の精度のよい高さ出しと水平出しとを両立させることができ、結果として、ドア枠を垂直状に載置することができる。
【００１５】
さらに、このような組立方法においては、位置基準部に対して洗い場防水床パンのドア枠本載置部の裏側が密接するように沿わせることで、当該ドア枠本載置部を所定高さで水平化することが好ましい。仮に洗い場防水床パンに反りが発生している場合であっても、本発明によればドア枠本載置部が床支持材の位置基準部に対して沿うように矯正されるため、ドア枠本載置部にドア枠を最終的に本載置した場合に近い状態でドア枠仮受け材にドア枠を仮載置して高さ調整することができる。
【００１６】
また、組立方法においては、ドア枠仮受け材として、ドア枠を水平方向の所定位置に位置決めする位置決め部を備えるものを用いることが好ましい。通常、洗い場防水床パンと隣室床とは、水平方向に所定のクリアランスを空けて配置する必要があるところ、本発明によれば、ドア枠本載置部が備える位置決め部によってドア枠の水平方向位置が規定されるため、ドア枠を仮載置すると同時に床支持材の水平方向位置も規定することが可能となる。これによれば水平方向のメジャー測定といった手間が不要である。
【００１７】
また、組立方法において、ドア枠仮受け材を、隣室床の側端部に当接させることで、床支持材の水平方向位置を規定することも好ましい。本発明によれば、ドア枠仮受け材を利用して床支持材の隣室床に対する水平方向の設置位置を容易に規定することができるため、メジャー測定といった手間が不要になる。
【００１８】
また、組立方法において、ドア枠仮受け材を、洗い場防水床パンと干渉しない位置に配置することも好ましい。洗い場防水床パンを設置する際に、ドア枠仮受け材を取り外さなくても良いため、取り外し作業が不要な点で作業性に優れる。
【００１９】
この組立方法においては、ドア枠仮受け材の一部を洗い場防水床パンと隣室床との間に配置し、ドア枠の補強材としても機能させることがさらに好ましい。従来の構造では、洗い場防水床パンと隣室床との間のクリアランス上に位置するドア枠の一部は宙に浮いた状態となっていたが、本発明によれば、ドア枠仮受け材によってその一部を支持する構造となり、ドア枠仮受け材がドア枠の補強にも役立つ。
【００２０】
また、本発明にかかるユニットバスは、高さ調整可能な支持脚と、支持脚の高さ調整作業をする際に用いる上方に開口した作業口とが設けられており、建築床上に設置される床支持材と、該床支持材に取り付けられており、当該ユニットバスのドア枠を一時的に仮載置することができるドア枠仮受け材と、ドア枠を最終状態にて本載置することができるドア枠本載置部と洗い場床部とが一体形成され、作業口を有しない洗い場防水床パンと、を備え、ドア枠が、ドア枠仮受け材に仮載置した場合と、ドア枠本載置部に本載置した場合とで同一高さに配置されることを特徴とするものである。
【発明の効果】
【００２１】
本発明によれば、ユニットバス組立の際、支持脚の高さ調整を行った後、ドア枠本載置部が一体形成された洗い場防水床パンを設置するという工程を採用する場合に、支持脚の高さ調整を精度よく行うことができる。
【図面の簡単な説明】
【００２２】
【図１】ユニットバスの一例を示す平面図である。
【図２】床支持材、洗い場防水床パン、浴槽排水管等の一例を示す分解斜視図である。
【図３】建築床上に設置された床支持材、架台、浴槽排水管等の一例を示す斜視図である。
【図４】床支持材上に設置された床支持材等の一例を示す斜視図である。
【図５】高さ基準部材の一例を示す斜視図である。
【図６】高さ基準部材の他の例を示す斜視図である。
【図７】洗い場防水床パンのドア枠本載置部、脱衣室の床、およびこれらの間に跨るように載置されたドア枠の一例を示す側面図である。
【図８】ドア枠仮受け材が取り付けられた床支持材を建築床上に設置した状態の一例を示す斜視図である。
【図９】床支持材、洗い場防水床パン、ドア枠本載置部、ドア枠などが設置された状態の一例を示す斜視図である。
【図１０】床支持材、架台、ドア枠等の一例を示す斜視図である。
【図１１】洗い場防水床パンの反りを抑えて水平化する手段の一例を示す側面図である。
【図１２】洗い場防水床パンの反りを抑えて水平化する手段の他の例を示す斜視図である。
【図１３】ドア枠を水平方向の所定位置に位置決めする位置決め部の他の形態例を示す図である。
【発明を実施するための形態】
【００２３】
以下、本発明の構成を図面に示す実施の形態の一例に基づいて詳細に説明する。
【００２４】
図１等に本発明にかかるユニットバスおよびその組立方法の一例を示す。本発明にかかるユニットバス１は、床支持材２、洗い場防水床パン３、ドア枠５、ドア枠仮受け材９等を備えているものである。なお、ドア枠５は、浴室ドア（図示省略）の枠を形成する部材で、例えば図７等に示す下側部材（ドア枠のうち床部分を形成する部材）は、洗い場防水床パン３に設けられたドア枠本載置部（洗い場防水床パン３上においてドア枠５が載置される部分）３１と脱衣室４００の床面４０１とを跨ぐように載置される（図７、図９参照）。以下の説明では、この下側部材のことを単にドア枠５ともいう。
【００２５】
ユニットバス１内のスペースは、洗い場スペースと浴槽設置スペースとに大きく分けられる（図１参照）。洗い場スペースには洗い場１２が設置される。浴槽設置スペースは洗い場スペースに隣接し、その建築床（図３等において符号２００で示す）上には架台（浴槽支持台）３００が設置され（図３等参照）、その架台３００上に浴槽１１が設置される。
【００２６】
架台３００は、柱状の金属材（鋼材）を縦横に組み合わせて構成され、浴槽水を溜めた状態で且つ入浴者が存在している状態の浴槽荷重を支えるのに十分な強度および耐久性を有する。この架台３００によって支持される浴槽１１には、浴槽水を貯留可能な内槽部１１ａが形成されており、該内槽部１１ａの底面に浴槽排水口１１ｂが設けられている（図１参照）。図１に示す本実施形態の浴槽１１は、平面視形状が略四角形（もしくは長円形状等でもよい）であり、一対の長辺側浴槽壁のうちの一方を洗い場１２側に向けて設置されている。
【００２７】
洗い場１２は、床支持材２、洗い場防水床パン３等によって構成されている。これらのうち、床支持材２は、高さ調整可能な支持脚２２と、支持脚２２の高さ調整作業をする際に用いる上方に開口した作業口２１とが設けられているもので、建築床２００上に設置されて洗い場防水床パン３を支持する（図２参照）。床支持材２のうち、洗い場防水床パン３の洗い場排水口３３と対応した位置には、排水用の開口２４が設けられている。後述するように、本実施形態の床支持材２は、防水性は特に実現されていなくても強度のみが実現されていれば足りる。さらに、本実施形態の床支持材２にはドア枠仮受け材９が取り付けられている。
【００２８】
洗い場防水床パン３は、洗い場１２の表面（床面）を構成する部材で、床支持材２によって支持されている。本実施形態の洗い場防水床パン３には、床支持材２の作業口２１に対応する開口が形成されていない（図４等参照）。このため、本実施形態の洗い場防水床パン３は全体を防水性材料で一体成形することができることから、全体として防水性を確保しやすい。また、本実施形態の洗い場防水床パン３には、ドア枠本載置部３１、洗い場床部３２、洗い場排水口３３等が一体成形されている（図７等参照）。洗い場排水口３３には、該洗い場排水口３３を覆う排水口カバー３４が載置される。さらに、洗い場排水口３３には排水トラップ３５が設けられる。また、浴槽排水口１１ｂと、洗い場排水口３３に設けられた排水トラップ３５とは、浴槽排水管１３によって接続されている（図２、図３参照）。浴槽排水管１３は、浴槽１１の排水を排水トラップ３５の内部に合流させる。
【００２９】
洗い場防水床パン３のドア枠本載置部３１は、洗い場床部３２等と一体成形されている。このドア枠本載置部３１に本載置されたドア枠５は、最終取付状態とされる（図７等参照）。
【００３０】
ドア枠仮受け材９は、ユニットバス１の組立時にドア枠５を一時的に仮載置することができるよう、床支持材２に取り付けられているものである（図８等参照）。本実施形態では、このドア枠仮受け材９に仮載置されたドア枠５の高さが、上述したドア枠本載置部３１に本載置された場合のドア枠５の高さと同一となるように調整している。これによれば、ユニットバス１において実際に使用されるドア枠５をドア枠仮受け材９に仮載置した状態として支持脚２２（および床支持材２）の高さ調整をすれば、その後床支持材２に設置される洗い場防水床パン３を所定高さに設置することができる。
【００３１】
このドア枠仮受け材９の具体例は、仮載置されたドア枠５を、ドア枠本載置部３１に本載置されたドア枠５と同一高さとしうるもの、あるいは同一高さとするための調整に適したものであれば特に限定されない。例えば本実施形態では、板状部材を折り曲げ、ドア枠５が仮載置される平坦部９２を備えたドア枠仮受け材９を用いている（図５、図８等参照）。また、平坦部９２のうち脱衣室４００寄りの一部はさらに上方へ折り曲げられている（図５、図６等参照）。このように折り曲げられた部分は、ドア枠５を水平方向の所定位置に位置決めする位置決め部９１として機能する。当該位置決め部９１によれば、ドア枠５を平坦部９２に仮載置する際に水平方向位置を規定することできる。
【００３２】
また、本実施形態では、平坦部９２を水平とし、当該ドア枠仮受け材９によってドア枠５を水平状に仮載置することができるようにしている。本実施形態のユニットバス１においては、通常のものと同様、ドア枠５が水平状に本載置されて最終取付状態となるので（図７等参照）、仮載置時にこのような最終取付状態に極めて近い状態とする本実施形態によれば支持脚２２の高さ調整をより精度よく行うことができる。
【００３３】
また、本実施形態では、ドア枠仮受け材９を、洗い場防水床パン３と干渉しない位置に配置している。こうした場合、洗い場防水床パン３を設置する際、当該ドア枠仮受け材９を付けっ放しのまま取り外さなくて済み、取り外し作業が不要となるので作業性に優れる。
【００３４】
さらに、本実施形態においては、このようなドア枠仮受け材９を、床支持材２の水平出しを行う際の位置基準部の近傍に取り付けている。こうした場合、床支持材２の当該位置基準部にドア枠仮受け材９が設けられた状態となるので、床支持材２の精度のよい高さ出し（高さ調整）と水平出し（水平度の調整）とを両立させることができる。これによれば、結果的に、ドア枠５のうちの両側枠を鉛直とし、ドア枠５の全体を矩形に形成することができる（図１０参照）。
【００３５】
ここで、位置基準部とは、上述のように床支持材２の位置調整を行う際の基準となる部分や部位のことで、当該ユニットバス１の形態に合わせて適宜設定可能であり、具体的な位置に限定されることはない。例えば、図５に示したように床支持材２の側面２ａ付近を位置基準部に設定してもよいし、あるいは床支持材２の隅部またはその近傍を位置基準部に設定してドア枠仮受け材９を設置してもよい（図６参照）。例示すれば、ユニットバス１を構成する部材の中でも特に高さ出し、水平出しの調整が重要である部材（例えば浴室壁部材（図示省略）や、ドアが載置されるドア載置面に設置されるドア枠５、あるいは該ドア枠５を支持する支柱部材７など）の調整に有利なようにこれら位置基準部を設定すれば、これら部材をさらに精度よく設置するという点で有利である。
【００３６】
さらには、位置基準部を複数設定することもできる。例えば、上述の浴室壁部材やドア枠５のような特に高さ出し、水平出しの調整が重要である部材の調整に有利なようにこれら位置基準部を設定することが好ましい。上述したように、ドア枠５は、浴室ドア（図示省略）の枠を形成する部材で、例えば図９等に示す下側部材（ドア枠のうち床部分を形成する部材）は、洗い場防水床パン３に設けられたドア枠本載置部（洗い場防水床パン３上においてドア枠５が本載置される部分）３１と脱衣室４００の床面４０１とを跨ぐように載置される（図７、図９参照）。このようなユニットバス１において、ドア枠５の両端付近にそれぞれ位置基準部を設定しておけば、特に水平出し・垂直出しが重要であるドア枠５を精度よく設置するための調整が可能となる。具体的には、上述のドア枠本載置部３１の近傍に位置基準部を設定することによってドア枠５を精度よく設置することが可能となる。なお、図７において、洗い場防水床パン３の洗い場床部の床面（水上表面）、および脱衣室４００の床面４０１の表面をそれぞれ▽印で示している（図７参照）。
【００３７】
続いて、上述した構成のユニットバス１の組立工程を以下に一例を挙げつつ説明する。
【００３８】
ドア枠仮受け材９が取り付けられた床支持材２を建築床２００上に設置し、ドア枠仮受け材９にドア枠５を仮載置する。該ドア枠５の水平方向位置を規定した状態で支持脚２２を操作し、当該支持脚２２および床支持材２の高さ調整をする。高さ調整は、仮載置されたドア枠５が所定の高さとなるように行う。このとき、組立作業者等は、作業口２１の上方から手を差し込んで高さ調整作業をすることが可能である。
【００３９】
このとき、さらに、ドア枠仮受け材９を、脱衣室４００の側端部に当接させることとして床支持材２の水平方向位置を規定することもできる（図７参照）。こうした場合には、ドア枠仮受け材９を利用して、脱衣室４００の床面４０１に対する床支持材２の水平方向の設置位置を容易に規定することができるため、メジャー測定といった手間は不要である。
【００４０】
高さ等の調整を終えたら、洗い場防水床パン３を床支持材２の上に載置する（図４等参照）。さらに、洗い場防水床パン３のドア枠本載置部３１と脱衣室４００の床面４０１とを跨ぐようにドア枠５を載置する（図７、図９等参照）。この時点で既に床支持材２の高さ調整が済んでいるため、該床支持材２上に載置される洗い場防水床パン３、さらにその後に載置されるドア枠５等は、それぞれ所定の位置に所定の高さで載置された状態となる。
【００４１】
また、組立の際、ドア枠仮受け材９の一部を洗い場防水床パン３と脱衣室４００の床面４０１との間に配置し、当該ドア枠仮受け材９をさらにドア枠５の補強材として機能させることもできる。組立時の調整にのみ用いられるドア枠仮受け材９を、このようにすることによって組立後も構造材の一部として機能させることができるのでドア枠５の補強等の面で役立つ。
【００４２】
ところで、洗い場防水床パン３は板状であるため、例えばＦＲＰ等で一体成形された場合に反りが生じる可能性がある。このような洗い場防水床パン３については、少なくとも所定箇所を床支持材２へと密着させることによって水平となるようにする（水平化する）ことが好ましい。例えば本実施形態では、予め設定されている位置基準部に対して洗い場防水床パン３のドア枠本載置部３１の裏側が密接するように沿わせるようにし、これによって当該洗い場防水床パン３のドア枠本載置部３１を反りがある場合にも所定高さで水平化するようにしている。水平化するための手段（水平化手段）は特に限定されないが、例えば側面視クランク形状の押さえ部材８をジョイナー６や支柱部材７にビス止め等により取り付け、これによって洗い場防水床パン３の反りを抑えて水平化することが可能である（図１１参照）。あるいは、ユニットバス１の支柱部材７を利用したものとして、該支柱部材７をジョイナー６に取り付け、該支柱部材７の一部で洗い場防水床パン３を押さえ付けることにより、当該洗い場防水床パン３の一部を床支持材２へと押し付けて反りを抑止することも可能である（図１２等参照）。洗い場防水床パン３に反りが発生していても、こうすることにより、ドア枠本載置部３１が床支持材２の位置基準部に対して沿うように矯正される。
【００４３】
ここまで説明したように、本実施形態のユニットバス１およびその組立方法においては、床支持材２の作業口２１を利用して支持脚２２を操作することが可能であるから、組立作業者等にとってみれば当該床支持材２の上方から楽な姿勢で高さ調整作業を行うことができる。したがって、このような作業口２１がなく隙間等を使っての作業を余儀なくされていた従来型のユニットバス１と比較して作業がしやすく、作業性に優れる。しかも、ドア枠５を仮載置した状態で高さを変えるだけの調整で済み、ドア枠５等を実際の位置に置くことなく作業を行うことができるため簡便である。
【００４４】
また、本実施形態のユニットバス１およびその組立方法においては、作業口を有しない洗い場防水床パン３を用いることが可能であることから、一体成形された一体的構造の当該洗い場防水床パン３のみで洗い場１２の防水性能を実現しやすい。そうすると、防水性能のない床支持材２であっても採用することが可能であり、結果、安価な床支持材２を採用することが可能となるから、構造がシンプルでありコスト面に優れたユニットバス１を実現することが可能となる。
【００４５】
なお、上述の実施形態は本発明の好適な実施の一例ではあるがこれに限定されるものではなく本発明の要旨を逸脱しない範囲において種々変形実施可能である。例えば本実施形態では、ドア枠５を水平方向の所定位置に位置決めする位置決め部９１として、平坦部９２の一部が上方へ折り曲げられて形成されたものを例示したが（図５等参照）、これは位置決め部の一例にすぎない。この他、例えば、ドア枠仮受け材９の上面に凸部９ａを設けておき、ドア枠５の底部には該凸部９ａが嵌合する嵌合用凹部５１を設けておき、両者を嵌合させることによってドア枠５の水平方向位置を所定位置に位置決めすることもできる（図１３参照）。この場合には、ドア枠仮受け材９の上面に設けられた凸部９ａが位置決め部９１として機能することとなる。もちろん、このような位置決めが可能である限りは、凹凸が逆になっていても構わない。
【００４６】
また、ここまで説明したドア枠仮受け材９だけでなく、高さ等の調整時の指標となりうる部材（高さ基準部材）４を併設することもできる（図５、図６等参照）。高さ基準部材４とドア枠仮受け材９の両方を設けておけば、ユニットバス１の構造や調整時の状況に応じて両者を適宜使い分けることが可能である。上述したジョイナー６を高さ基準部材４として利用してもよい。なお、符号４１は切り込み等で構成される目印部である。
【符号の説明】
【００４７】
１：ユニットバス
２：床支持材
３：洗い場防水床パン
５：ドア枠
７：支柱部材
８：押さえ部材
９：ドア枠仮受け材
２１：作業口
２２：支持脚
３１：ドア枠本載置部
３２：洗い場床部
９１：位置決め部
２００：建築床
４００：脱衣室（隣室）
４０１：脱衣室の床面（隣室の基準面）
【図１】
0005625922.tif 000002
【図２】
0005625922.tif 000003
【図３】
0005625922.tif 000004
【図４】
0005625922.tif 000005
【図５】
0005625922.tif 000006
【図６】
0005625922.tif 000007
【図７】
0005625922.tif 000008
【図８】
0005625922.tif 000009
【図９】
0005625922.tif 000010
【図１０】
0005625922.tif 000011
【図１１】
0005625922.tif 000012
【図１２】
0005625922.tif 000013
【図１３】
0005625922.tif 000014